(57)【要約】【課題】簡易な手順で外部装置（例えば、携帯端末装置）に蓄積されているデータから所望のものを画像表示装置に転送し、表示面上に表示させる。【解決手段】軌跡抽出部１２３は、表示面に対して外部装置が描いた軌跡を抽出する。属性情報取得部１２４は、表示面において軌跡と重なる位置に表示されているデータの属性情報を取得する。通信部１２７は、取得された属性情報を携帯端末装置１０１に送信し、属性情報と一致する属性情報のデータを携帯端末装置１０１から受信する。表示制御部１３０は、携帯端末装置１０１から受信したデータを表示面に表示させる。【選択図】図１
2011081546.tif 000002
【特許請求の範囲】
【請求項１】
表示面に対して外部装置が描いた軌跡を抽出する抽出手段と、
前記表示面において前記軌跡と重なる位置に表示されているデータの属性情報を取得する取得手段と、
前記取得手段により取得された属性情報を前記外部装置に送信する送信手段と、
前記送信手段により送信された属性情報と一致する属性情報のデータを前記外部装置から受信する受信手段と、
前記受信手段により受信したデータを前記表示面に表示させる表示制御手段とを有することを特徴とする画像表示装置。
【請求項２】
外部装置からデータを受信する受信手段と、
表示面に対して前記外部装置が描いた軌跡を抽出する抽出手段と、
前記表示面において前記軌跡を重なる位置に表示されているデータの属性情報を取得する取得手段と、
前記受信手段により受信したデータから、前記取得手段により取得された属性情報と一致するデータを検索する検索手段と、
前記検索手段により検索されたデータを前記表示面に表示させる表示制御手段とを有することを特徴とする画像表示装置。
【請求項３】
前記抽出手段は、前記外部装置が前記表示面に接触又は接近して移動することで描かれた軌跡を抽出することを特徴とする請求項１又は２に記載の画像表示装置。
【請求項４】
前記取得手段は、データの撮影時期を示す情報を属性情報として取得することを特徴とする請求項１乃至３の何れか１項に記載の画像表示装置。
【請求項５】
前記取得手段は、データが撮影された位置を示す情報を属性情報として取得することを特徴とする請求項１乃至３の何れか１項に記載の画像表示装置。
【請求項６】
前記取得手段は、動画コンテンツの先頭からの経過時間を示す情報を属性情報として取得することを特徴とする請求項１乃至３の何れか１項に記載の画像表示装置。
【請求項７】
データの表示制御を行う画像表示装置とデータを蓄積する携帯端末装置とを備える画像表示システムであって、
前記画像表示装置は、
表示面に対して外部装置が描いた軌跡を抽出する抽出手段と、
前記表示面において前記軌跡と重なる位置に表示されているデータの属性情報を取得する取得手段と、
前記取得手段により取得された属性情報を前記外部装置に送信する第１の送信手段とを有し、
前記携帯端末装置は、
前記第１の送信手段より送信された属性情報を受信する第１の受信手段と、
前記第１の受信手段により受信された属性情報と一致する属性情報のデータを検索する検索手段と、
前記検索手段により検索されたデータを前記画像表示装置に送信する第２の送信手段とを有し、
前記画像表示装置は、
前記第２の送信手段より送信されたデータを受信する第２の受信手段と、
前記第２の受信手段より受信されたデータを前記表示面に表示させる表示制御手段とを更に有することを特徴とする画像表示システム。
【請求項８】
データの表示制御を行う画像表示装置とデータを蓄積する携帯端末装置とを備える画像表示システムであって、
前記携帯端末装置は、
前記画像表示装置にデータを送信する送信手段を有し、
前記画像表示装置は、
前記携帯端末装置からデータを受信する受信手段と、
表示面に対して前記携帯端末装置が描いた軌跡を抽出する抽出手段と、
前記表示面において前記軌跡を重なる位置に表示されているデータの属性情報を取得する取得手段と、
前記受信手段により受信したデータから、前記取得手段により取得された属性情報と一致するデータを検索する検索手段と、
前記検索手段により検索されたデータを前記表示面に表示させる表示制御手段とを有することを特徴とする画像表示システム。
【請求項９】
表示面に対して外部装置が描いた軌跡を抽出する抽出ステップと、
前記表示面において前記軌跡と重なる位置に表示されているデータの属性情報を取得する取得ステップと、
前記取得ステップにより取得された属性情報を前記外部装置に送信する送信ステップと、
前記送信ステップにより送信された属性情報と一致する属性情報のデータを前記外部装置から受信する受信ステップと、
前記受信ステップにより受信したデータを前記表示面に表示させる表示制御ステップとを含むことを特徴とする画像表示方法。
【請求項１０】
外部装置からデータを受信する受信ステップと、
表示面に対して前記外部装置が描いた軌跡を抽出する抽出ステップと、
前記表示面において前記軌跡を重なる位置に表示されているデータの属性情報を取得する取得ステップと、
前記受信ステップにより受信したデータから、前記取得ステップにより取得された属性情報と一致するデータを検索する検索ステップと、
前記検索ステップにより検索されたデータを前記表示面に表示させる表示制御ステップとを含むことを特徴とする画像表示方法。
【請求項１１】
表示面に対して外部装置が描いた軌跡を抽出する抽出ステップと、
前記表示面において前記軌跡と重なる位置に表示されているデータの属性情報を取得する取得ステップと、
前記取得ステップにより取得された属性情報を前記外部装置に送信する送信ステップと、
前記送信ステップにより送信された属性情報と一致する属性情報のデータを前記外部装置から受信する受信ステップと、
前記受信ステップにより受信したデータを前記表示面に表示させる表示制御ステップとをコンピュータに実行させるためのプログラム。
【請求項１２】
外部装置からデータを受信する受信ステップと、
表示面に対して前記外部装置が描いた軌跡を抽出する抽出ステップと、
前記表示面において前記軌跡を重なる位置に表示されているデータの属性情報を取得する取得ステップと、
前記受信ステップにより受信したデータから、前記取得ステップにより取得された属性情報と一致するデータを検索する検索ステップと、
前記検索ステップにより検索されたデータを前記表示面に表示させる表示制御ステップとをコンピュータに実行させるためのプログラム。
【発明の詳細な説明】
【技術分野】
【０００１】
本発明は、携帯端末装置に蓄積されているデータを画像表示装置に転送し、表示させる技術に関するものである。
【背景技術】
【０００２】
近年、画像表示装置の大画面化や高精細化が進み、画像や動画等の単一コンテンツを表示する目的だけでなく、多数のコンテンツを画面上に並べて整理や編集をするための場としても活用することができるようになっている。このため、写真や動画の撮影や音声の録音等、コンテンツを作成する様々な携帯端末装置と画像表示装置との間でコンテンツを転送、表示する必要性が高まっている。
【０００３】
従来、携帯端末装置に蓄積されているコンテンツを画像表示装置に表示するには、複数の手順の操作をする必要があった。まず、ユーザが携帯端末装置に蓄積されているコンテンツから転送するものを選択して、転送を実行する。次に画像表示装置でコンテンツを１つずつ、或いは複数まとめて所望の場所へレイアウトする。ユーザの操作を補助し簡略化するためには、表示面に直接に触れ、なぞった軌跡を利用してコンテンツの選択に利用する方法が開示されている（例えば、特許文献１参照）。
【先行技術文献】
【特許文献】
【０００４】
【特許文献１】特開２００５−０９２３８６号公報
【発明の概要】
【発明が解決しようとする課題】
【０００５】
しかしながら、従来技術では、携帯端末装置に蓄積されている所望のコンテンツを画像表示装置に表示するには、複数の手順の操作が必要である点は解決することができない。携帯端末装置側に多くのコンテンツが蓄積されており、その中から特定のコンテンツのみを転送したい場合には、ユーザ自身が一覧等から選択する必要があり煩雑であった。
【０００６】
また、対象のコンテンツが動画像であり、蓄積されている動画像の一部分のみを切り出したい場合には、事前に動画像を編集するか、或いは転送後に画像表示装置側で編集する必要がある。携帯端末装置や画像表示装置には編集用の機能があまり充実していない場合があり、動画像から所望の一部分を切り出すためには非常に煩雑な操作が必要であった。
【０００７】
そこで、本発明の目的は、簡易な手順で外部装置（例えば、携帯端末装置）に蓄積されているデータから所望のものを画像表示装置に転送し、表示面上に表示させることにある。
【課題を解決するための手段】
【０００８】
本発明の画像表示装置は、表示面に対して外部装置が描いた軌跡を抽出する抽出手段と、前記表示面において前記軌跡と重なる位置に表示されているデータの属性情報を取得する取得手段と、前記取得手段により取得された属性情報を前記外部装置に送信する送信手段と、前記送信手段により送信された属性情報と一致する属性情報のデータを前記外部装置から受信する受信手段と、前記受信手段により受信したデータを前記表示面に表示させる表示制御手段とを有することを特徴とする。
【発明の効果】
【０００９】
本発明においては、簡易な手順で外部装置（例えば、携帯端末装置）に蓄積されているデータから所望のものを画像表示装置に転送し、表示面上に表示させることが可能となる。
【図面の簡単な説明】
【００１０】
【図１】本発明の第１の実施形態に係る画像表示装置及び携帯端末装置の主要部の構成を示す図である。
【図２】本発明の第１の実施形態の画像表示装置の処理全体を示すフローチャートである。
【図３】図２のステップＳ２０３の位置・軌跡取得処理の詳細を示すフローチャートである。
【図４】図２のステップＳ２０４の属性情報・データ取得処理の詳細を示すフローチャートである。
【図５】図２のステップＳ２０５の表示更新処理の詳細を示すフローチャートである。
【図６】本発明の第１の実施形態に係る携帯端末装置の処理全体を示すフローチャートである。
【図７】本発明の第１の実施形態の動作を概念的に示す図である。
【図８】表示面上に表示されているコンテンツが動画像から抽出した連続する静止画像であり、その軌跡が動画像を表している場合の動作の一例を概念的に示す図である。
【図９】本発明の第２の実施形態に係る画像表示装置及び携帯端末装置の主要部の構成を示す図である。
【図１０】本発明の第２の実施形態に係る画像表示装置の処理全体を示すフローチャートである。
【図１１】図１０のステップＳ２０４の属性情報・データ取得処理の詳細を示すフローチャートである。
【図１２】本発明の第３の実施形態に係る画像表示装置及び携帯端末装置の主要部の構成を示す図である。
【発明を実施するための形態】
【００１１】
以下、本発明を適用した好適な実施形態を、添付図面を参照しながら詳細に説明する。なお、以下に説明する実施形態において示す構成は飽くまでも一例に過ぎず、本発明は図示された構成に限定されるものではない。
【００１２】
先ず、本発明の第１の実施形態について説明する。図１は、本発明の第１の実施形態に係る画像表示装置１０２及び携帯端末装置１０１の主要部の構成を示す図である。本実施形態における画像表示装置１０２は、写真や動画像等のコンテンツを蓄積・表示するものであり、携帯端末装置１０１は写真や動画像等のコンテンツを内部の記録装置に蓄積するものである。なお、画像表示装置１０２は本発明の画像処理装置の適用例となる構成であり、携帯端末装置１０１は本発明の外部装置、携帯端末装置の適用例となる構成である。また、画像表示装置１０２と携帯端末装置１０１から成る構成は、本発明の画像表示システムの適用例となる構成である。
【００１３】
図１において、ユーザが携帯端末装置１０１を画像表示装置１０２の表示面１３１に接近或いは接触させると、接近検知部１２１がそれを検知し、位置検出部１２２に通知する。位置検出部１２２は、携帯端末装置１０１が表示面１３１に接近或いは接触した位置を特定する座標情報を取得し、軌跡抽出部１２３に通知する。軌跡抽出部１２３は、位置検出部１２２から一つ前に通知された座標情報を記録しており、前回の座標情報と今回の座標情報とから携帯端末装置１０１が表示面１３１上で移動した軌跡を算出する。さらに軌跡抽出部１２３は、携帯端末装置１０１の移動した軌跡の情報と表示面１３１に表示されているコンテンツの位置情報とを比較することで、ユーザが携帯端末装置１０１で触れたコンテンツを特定する。対象のコンテンツが動画像から抽出された一連の静止画像の並びである場合には、対象動画像のうち触れた範囲を特定する。属性情報取得部１２４は、軌跡抽出部１２３から、携帯端末装置１０１の触れたコンテンツを示す情報（コンテンツ情報）を受け取り、記録装置１２５に保存されている全コンテンツの属性情報からコンテンツ情報に示されるコンテンツの属性情報を取得する。コンテンツが写真や動画像である場合、撮影時刻（撮影時期）を属性情報として用いることができる。この場合、同時刻に撮影された写真や動画像を検索対象とすることができる。或いはコンテンツが撮影された位置の緯度経度の情報を属性情報として用いることもできる。その他、コンテンツに属性として付与できる情報であればどのような情報でも利用することができる。データ送信制御部１２６は、属性情報取得部１２４から対象コンテンツの属性情報を受け取り、通信部１２７を介して携帯端末装置１０１に送信する。なお、画像表示装置１０２と携帯端末装置１０１との通信は無線通信であっても有線通信であってもよい。軌跡抽出部１２３は、本発明の抽出手段の適用例となる構成であり、属性情報取得部１２４は、本発明の取得手段の適用例となる構成である。また、通信手段１２７は、本発明の画像表示装置の送信手段、受信手段、第１の送信手段、第２の受信手段の適用例となる構成である。表示制御部１３０は、本発明における表示制御手段の適用例となる構成である。
【００１４】
携帯端末装置１０１では、コンテンツ検索部１１２が通信部１１１を介して属性情報を受け取り、記録装置１１３に蓄積されているコンテンツから属性情報の一致するものを検索する。さらにコンテンツ検索部１１２は、検索により選別されたコンテンツを画像表示装置１０２へ送信する。
【００１５】
画像表示装置１０２では、データ送信制御部１２６が携帯端末装置１０１からコンテンツを受信し、記録装置１２５に記録した上で属性情報取得部１２４に通知する。属性情報取得部１２４は、属性情報を基に表示面１３１に表示されていたコンテンツと携帯端末装置１０１から受信したコンテンツとの組み合わせ情報を作り、対象コンテンツを表示位置制御部１２８に送る。表示位置制御部１２８は、属性情報取得部１２４から受け取った組み合わせ情報を基に、携帯端末装置１０１から受信したコンテンツの表示位置を決定する。コンテンツの表示位置は属性の一致したコンテンツに重ねるか、或いは事前に設定された距離だけ離した位置に設定する。もしくは表示されているコンテンツの大きさに合わせて動的に算出してもよい。画像処理部１２９は、表示位置制御部１２８の決定した表示位置に合わせて携帯端末装置１０１から受信したコンテンツを表示した画面を作成し、表示制御部１３０を介して表示面１３１の表示を更新する。なお、通信部１１１は、本発明の携帯端末装置の第１の受信手段、第２の送信手段、送信手段の適用例となる構成である。また、コンテンツ検索部１１２は、本発明の検索手段の適用例となる構成である。
【００１６】
図２は、本実施形態の画像表示装置１０２の処理全体を示すフローチャートである。ステップＳ２０１において、接近検知部１２１は、携帯端末装置１０１の表示面１３１への接近或いは接触を検知する。ステップＳ２０２において、接近検知部１２１は携帯端末装置１０１と表示面１３１との距離を確認し、距離がｘ未満であれば、携帯端末装置１０１が表示面１３１へ接近或いは接触したと判定する。
【００１７】
携帯端末装置１０１が表示面１３１へ接近或いは接触したと判定された場合、ステップＳ２０３において、位置検出部１２２及び軌跡抽出部１２３は、携帯端末装置１０１が接近或いは接触した位置とその移動軌跡で接したコンテンツを調べる。ステップＳ２０３の処理は後述する。
【００１８】
ステップＳ２０４において、属性情報取得部１２４及びデータ送信制御部１２６は、携帯端末装置１０１が表示面１３１上で接したコンテンツの属性情報を取得する。さらに、データ送信制御部１２６は、携帯端末装置１０１から属性情報の一致するコンテンツを受信し、記録装置１２５に蓄積する。ステップＳ２０４の処理の詳細は後述する。
【００１９】
ステップＳ２０５において、表示位置制御部１２８及び画像処理部１２９は、携帯端末装置１０１から取得したコンテンツの表示位置を決定し、表示面１３１の表示内容を更新する。ステップＳ２０５の処理の詳細は後述する。
【００２０】
ステップＳ２０５の処理が終わると、ステップＳ２０１の、携帯端末装置１０１の接近或いは接触を確認する処理に戻り、以降の処理を繰り返す。ステップＳ２０２で携帯端末装置１０１が表示面１３１に接近或いは接触していないと判定された場合には、処理はステップＳ２０６に移る。ステップＳ２０６では軌跡抽出部１２３が軌跡の算出のために保持していた以前の座標情報を初期化する。これによりユーザが携帯端末装置１０１を表示面１３１から一旦離して、再度接触された場合に正しい軌跡を算出できるようにする。
【００２１】
図３は、図２のステップＳ２０３の位置・軌跡取得処理の詳細を示すフローチャートである。ステップＳ３０１において、位置検出部１２２は、携帯端末装置１０１が表示面１３１に接近或いは接触している位置を座標情報として取得する。この際に既に携帯端末装置１０１の座標情報を保持していた場合には、その値を一つ前の座標情報として記録しなおし、現在の座標情報を改めて記録する。ステップＳ３０２において、軌跡抽出部１２３は表示面１３１に表示されているコンテンツ一覧を取得する。ステップＳ３０３において、軌跡抽出部１２３はコンテンツ一覧の処理状況を調べ、未処理のコンテンツが存在する場合にはステップＳ３０４へ遷移し、そのコンテンツを処理する。
【００２２】
ステップＳ３０４において、軌跡抽出部１２３は、コンテンツの座標情報を取得する。本実施形態では説明を簡単化するためにコンテンツが表示面１３１上で座標軸に平行な方向で矩形の面積の位置を占有しているものとし、ステップＳ３０４ではコンテンツの占有する矩形の左上と右下の座標を取得する。しかし、ここではコンテンツと軌跡が接したか確認することが目的であるため、コンテンツの占有する位置は傾いた矩形や、コンテンツの重心位置を中心とした円形等として処理してもよい。
【００２３】
ステップＳ３０５において、軌跡抽出部１２３は、コンテンツと軌跡の重なりを確認する。軌跡は携帯端末装置１０１の一つ前の座標から現在の座標を繋ぐ線分とする。コンテンツの左上と右下の座標情報からコンテンツを囲む線分を求める。コンテンツを囲む線分と軌跡の線分が交わった場合には、コンテンツと軌跡が接したと判定する。軌跡抽出部１２３は対象コンテンツと軌跡の接触有無を記録した上で、対象コンテンツを処理済みとしステップＳ３０３の処理に戻る。ステップＳ３０３において全てのコンテンツが処理済みである場合、位置・軌跡取得処理は終了する。
【００２４】
図４は、図２のステップＳ２０４の属性情報・データ取得処理の詳細を示すフローチャートである。ステップＳ４０１及びステップＳ４０２において、属性情報取得部１２４は、軌跡抽出部１２３が軌跡と接したと判定したコンテンツ全てについて、記録装置１２５から属性情報を取得する。全てのコンテンツの属性情報を取得するとステップＳ４０３に遷移する。
【００２５】
ステップＳ４０３において、データ送信制御部１２６は、属性情報取得部１２４が取得した属性情報を携帯端末装置１０１へ送信する。ステップＳ４０４及びステップＳ４０５において、データ送信制御部１２６は、携帯端末装置１０１から送られてきたコンテンツを受信し、記録装置１２５に蓄積する。ここで携帯端末装置１０１はステップＳ４０３でデータ送信制御部１２６が送信した属性情報に一致するコンテンツを送信するものとする。
【００２６】
図５は、図２のステップＳ２０５の表示更新処理の詳細を示すフローチャートである。ステップＳ５０１及びステップＳ５０２において、属性情報取得部１２４は、携帯端末装置１０１から受信したコンテンツの一覧を取得し、全ての受信コンテンツについてステップＳ５０３とステップＳ５０４の処理を実行する。
【００２７】
ステップＳ５０３において、属性情報取得部１２４は、対象コンテンツと属性値の最も近いものを軌跡抽出部１２３が選別したコンテンツの中から選び、組み合わせを作成する。
【００２８】
ステップＳ５０４において、表示位置制御部１２８は、ステップＳ５０３で作成されたコンテンツの組み合わせ毎に携帯端末装置１０１から受信したコンテンツを表示する座標を決定する。ここで設定する座標は、ステップＳ５０３で組み合わされたコンテンツに重ねるか、或いは事前に設定された距離だけ離した位置に設定する。もしくは表示されているコンテンツの大きさに合わせて動的に算出してもよい。
【００２９】
ステップＳ５０５において、画像処理部１２９及び表示制御部１３０は、表示位置制御部１２８の決定した表示位置に合わせて携帯端末装置１０１から受信したコンテンツを表示した画面を作成し、表示面１３１の表示を更新する。
【００３０】
図６は、本実施形態に係る携帯端末装置１０１の処理全体を示すフローチャートである。ステップＳ６０１において、コンテンツ検索部１１２は、通信部１１１を介して画像表示装置１０２のデータ送信制御部１２６から属性情報を受信する。
【００３１】
ステップＳ６０２及びステップＳ６０３において、コンテンツ検索部１１２は、携帯端末装置１０１内の記録装置１１３に蓄積されている全てのコンテンツの中から属性情報の一致するコンテンツを検索し、抽出する。全てのコンテンツの処理が終わるとステップＳ６０４に遷移する。
【００３２】
ステップＳ６０４において、コンテンツ検索部１１２は、通信部１１１を介してステップＳ６０２及びＳ６０３において抽出されたコンテンツを画像表示装置１０２のデータ送信制御部１２６に送信する。
【００３３】
図７は、以上説明した動作の一例を概念的に示す図である。携帯端末装置１０１を表示面１３１の上に表示されているコンテンツ７０１の上をなぞるように移動させる。すると、携帯端末装置１０１に蓄積されているコンテンツの中から、コンテンツ７０１と属性情報が一致するものが転送され、属性の一致したコンテンツ７０１付近に受信コンテンツ７０２として表示される。
【００３４】
図８は、図７において、表示面１３１上に表示されているコンテンツ７０１が動画像から抽出した連続する静止画像であり、その軌跡が動画像を表している場合の動作の一例を概念的に示す図である。
【００３５】
動画像軌跡８０１は、動画像から抽出した連続する静止画像が時系列にコンテンツ７０１として並んだ軌跡であり、画像表示装置１０２の表示面１３１上に表示されている。動画像撮影装置８０２は、携帯端末装置１０１の一種であり、撮影した動画像が蓄積されている。抽出動画像８０３は、受信コンテンツ７０２の一種であり、動画像撮影装置８０２に蓄積されている動画像の一部である。動画像軌跡８０１の上を動画像撮影装置８０２でなぞることで、これまで説明した処理により、動画像軌跡８０１の内のなぞった範囲と属性情報の一致する部分のみが抽出動画像８０３として切り出されて表示される。画像撮影装置８０４は携帯端末装置１０１の一種であり、撮影した静止画像が蓄積されている。抽出静止画像８０５は受信コンテンツ７０２の一種であり、画像撮影装置８０４に蓄積されている静止画像の一部である。動画像軌跡８０１の上を画像撮影装置８０４でなぞることで、これまで説明した処理により、動画像軌跡８０１の内のなぞった位置と属性情報の一致する静止画像のみが転送されて表示される。即ち、図８に示す例においては、動画像（動画コンテンツ）の先頭からの経過時間がコンテンツ７０１の属性情報として取得される。
【００３６】
次に、本発明の第２の実施形態について説明する。図９は、本発明の第２の実施形態に係る画像表示装置及び携帯端末装置の主要部の構成を示す図である。図９に示す画像表示装置の構成と図１に示す第１の実施形態に係る画像表示装置の構成で異なる点は、携帯端末装置１０１からコンテンツ検索部１１２がなくなっている点と、接近検知部１２１からデータ送信制御部１２６が接続されている点である。その他の各部は、図１における各部と基本的に同じになるので、相違点以外は説明を省略する。
【００３７】
図９において、接近検知部１２１は、携帯端末１０１の接近或いは接触を検知するとデータ送信制御部１２６に通知する。データ送信制御部１２６は、接近検知部１２１からの通知を受けて、携帯端末装置１０１に蓄積されている全てのコンテンツを受信し記録装置１２５に蓄積する。
【００３８】
属性情報取得部１２４は、軌跡抽出部１２３から軌跡と接したコンテンツの一覧情報を受け取ると、その属性情報を記録装置１２５から調べる。そして、属性情報取得部１２４は、予め携帯端末装置１０１から受信したコンテンツの中からその属性情報と一致するものを受信コンテンツとして設定しなおす。
【００３９】
図１０は、本発明の第２の実施形態に係る画像表示装置の処理全体を示すフローチャートである。第１の実施形態（図２）との相違点はステップＳ１００１を追加した点である。
【００４０】
ステップＳ１００１において、データ送信制御部１２６は接近検知部１２１からの通知を受けて、携帯端末装置１０１に蓄積されている全てのコンテンツを受信し、記録装置１２５に蓄積する。
【００４１】
ステップＳ２０４において、属性情報取得部１２４は、携帯端末装置１０１が表示面１３１上で接したコンテンツの属性情報を取得し、ステップＳ１００１において携帯端末装置１０１より受信したコンテンツから一致するものを検索する。ステップＳ２０４の処理は後述する。
【００４２】
処理全体ではこれ以外のステップについては、第１の実施形態（図２）と同じになるので、説明は省略する。
【００４３】
図１１は、図１０のステップＳ２０４の属性情報・コンテンツ取得処理の詳細を示すフローチャートである。
【００４４】
第１の実施形態の図４に示す処理との相違点はステップＳ４０３、Ｓ４０４、Ｓ４０５がなくなり、代わりにステップＳ１１０１、Ｓ１１０２が追加されている点である。
【００４５】
ステップＳ１１０１において、属性情報取得部１２４は、記録装置１２５に蓄積されている携帯端末装置１０１からの受信コンテンツの中からステップＳ４０２で取得した属性情報と一致するものを検索する。ステップＳ４０１において、属性情報取得部１２４が軌跡抽出部１２３から受け取った全ての表示コンテンツについて処理したと判定するとステップＳ１１０２に遷移する。
【００４６】
ステップＳ１１０２において、属性情報取得部１２４は受信コンテンツの一覧情報を更新する。更新された受信コンテンツの一覧情報にはステップＳ１１０１において、属性が一致すると判定されたもののみが含まれており、この情報を次の処理である、図１０のステップＳ２０５の表示更新処理に送る。これ以外のステップについては第１の実施形態の図４に示す処理と同じになるので説明は省略する。
【００４７】
次に、本発明の第３の実施形態について説明する。図１２は、本発明の実施形態３に係る画像表示装置及び携帯端末装置の主要部の構成を示す図である。図１２に示す画像表示装置の構成と図１に示す第１の実施形態に係る画像表示装置の構成で異なる点は、ユーザの指１２０１が加わっている点と、接近検知部１２１と関係する対象が携帯端末装置１０１からユーザの指１２０１に変わっている点である。その他の各部は、第１の実施形態の図１における各部と基本的に同じになるので、相違点以外の説明は省略する。
【００４８】
図１２において、ユーザがユーザの指１２０１を画像表示装置１０２の表示面１３１に接近或いは接触させると接近検知部１２１が検知し、位置検出部１２２に通知する。なお表示面１３１に接近或いは接触させるものは、表示面１３１の特定の位置を示すことができるものであれば鉛筆や棒等であってもよい。また、画像表示装置１０２に接続されたポインティングデバイスを用いて位置情報および接触にあたる入力を行ってもよい。
【００４９】
本実施形態における処理のフローチャートは、第１の実施形態の図２〜図６に示すと同じになるので、その説明は省略する。また、本実施形態におけるユーザの指１２０１が表示面１３１に接近或いは接触したこと及びその位置を検知する方法は、第２の実施形態の構成においても用いることができる。
【００５０】
上述した実施形態においては、簡易な手順で携帯端末装置に蓄積されているコンテンツから所望のものを画像表示装置に転送、表示することが可能となる。
【００５１】
また、動画像コンテンツを取り扱う場合には、携帯端末装置に蓄積されている動画像コンテンツから、簡易な手順によりその一部分を切り出すような編集機能を実現することが可能となる。
【００５２】
本発明の各工程は、ネットワーク又は各種記憶媒体を介して取得したソフトウエア（プログラム）をパーソナルコンピュータ等の処理装置（ＣＰＵ、プロセッサ）にて実行することでも実現できる。
【符号の説明】
【００５３】
１０１：携帯端末装置、１０２：画像表示装置、１１１：通信部、１１２：コンテンツ検索部、１１３：記録装置、１２１：接近検知部、１２２：位置検出部、１２３：軌跡抽出部、１２４：属性情報取得部、１２５：記録装置、１２６：データ送信制御部、１２７：通信部、１２８：表示位置制御部、１２９：画像処理部、１３０：表示制御部、１３１：表示面
【図１】
2011081546.tif 000003
【図２】
2011081546.tif 000004
【図３】
2011081546.tif 000005
【図４】
2011081546.tif 000006
【図５】
2011081546.tif 000007
【図６】
2011081546.tif 000008
【図７】
2011081546.tif 000009
【図８】
2011081546.tif 000010
【図９】
2011081546.tif 000011
【図１０】
2011081546.tif 000012
【図１１】
2011081546.tif 000013
【図１２】
2011081546.tif 000014